(57)【要約】      （修正有）【課題】次の２つの条件で、データのコピーを行う方法を実現する。第1点は、前記コンピュータの機能追装はしないこと。第２点は、該コンピュータが動作するネットワーク環境にはいささかの影響も与えないで、後者のコンピュータ向けにデータコピーのための通信手段を設けること。【解決手段】データ保有コンピュータが保有するデータを、データ収集しようとする他のコンピュータに複写する。ここでは、データ保有コンピュータに標準実装されるエクスプローラなどの機能で、初めにUSBほかの外部メモリにコピーして、該外部メモリ内容を、メモリデータ読出し機能および通信装置通信機能を用いて、他のコンピュータにコピーする方法を採る。外部メモリにデータをコピーするためには、データ保有コンピュータの標準実装機能を用いたコピーのための画面操作を行う方法をとる。【選択図】図１
2020201682.tif 000002
【特許請求の範囲】
【請求項１】
データ保有コンピュータと、データ保存用メモリ、メモリデータ収集機能、メモリデータ読出し機能および通信装置、回路切替用スイッチボックス、回路切替スイッチボックス操作機能、メモリデータ収集機能、画面操作機能より構成し、はじめに、回路切替用スイッチボックス操作機能を操作して、一旦回路切替用スイッチボックスをデータ保有コンピュータ側に接続し、２番目に、画面操作機能を使用してデータ保有コンピュータの画面を操作する方法で、データ保有コンピュータのデータをデータ受渡し用ポートに接続されるデータ保存メモリに格納し、３番目に回路切替用スイッチボックスをデータ収集機能と接続する操作を行って、データ保存メモリのデータをデータ収集機能に受け渡すため、前記３つの操作を順に実施する方法。
【請求項２】
請求項１に記載の方法を使用する装置。
【発明の詳細な説明】
【技術分野】
【０００１】
コンピュータには、入出力装置を利用して収集したデータをそのまま保存する機能や、一定の演算処理を施した結果を保存する機能がある。
これらの保存データを、他のコンピュータに容易に移動やコピーをさせる方法について記載する。
【背景技術】
【０００２】
コンピュータ間で各々が保有するデータの移動やコピーをするには、両者間にデータ交換用ソフトを設けて、通信機能例えばTCP/IPと呼ばれる広く普及した方法を利用して実施する方法が用いられている。この場合、データを保有するコンピュータとデータを収集するコンピュータに、データ交換用のソフトの組込をすればいいのであるが、特に前者のコンピュータには、組み込むことが困難なものが多数存在するのが実態である。
【０００３】
例えば、重要なプラントを制御するために設けられるコンピュータでは、厳格なセキュリティー管理が要求されており、新たなプログラムの組込みを行うためにはプラントへの影響に関する安全のための検証など事前の作業や組込み後のプラント制御に関する再試験を行う必要があるほか、ここでは、データを収集するコンピュータとの間で通信手段を設けることにも同様の事前の検証や試験が必要となる場合が多い。
【０００４】
結果として、保有するデータを、通信手段を用いて他のコンピュータに安全な方法で取出すことが困難な状況となっている。
【先行技術文献】
【特許文献】
【０００５】
【発明の開示】
【発明が解決しようとする課題】
【０００６】
データを保有するコンピュータ（データ保有コンピュータという）を対象に、機能追装を行わずに、また通信のセキュリティー機能に影響を及ぼさずに、これらのコンピュータから安全な方法で保有データを他のコンピュータ（データ取得コンピュータという）に取出す方法を実現することが課題である。
【課題を解決するための手段】
【０００７】
データ保有コンピュータには、標準で具備されている次の入出力ポートがある。その１は、モニター表示信号出力用ポートであり、その２は、マウスやキーボードでオペレータがコンピュータの画面を使用してデータ保有コンピュータとの対話を行うための信号入力用ポートである。その３は、メモリに蓄えられたデータの入出力を行うためのポートで、例えば、ＵＳＢポートがある。
【０００８】
一方、これらのデータ保有コンピュータに組込まれるオペレ―ティンシステム（ＯＳ）には、エクスプローラと呼ばれ、オペレータがマウスやキーボードを操作してコンピュータの画面を操作する方法で、データ保有コンピュータのファイルデータと、ＵＳＢポートに接続されるＵＳＢメモリとの間でデータのコピーやペーストを行う機能が標準的に具備されている。
【０００９】
本発明では、データ取得コンピュータが、データ保有コンピュータが持つ標準機能である、マウスやキーボードを操作して、データ保有コンピュータのファイルを、ＵＳＢメモリにコピーとペースト操作を行うという方法を採る。
【００１０】
また、このＵＳＢメモリに収録されたデータは、データ保有コンピュータの通信ネットワーク機能環境から切り離された通信環境を設ける方法でデータ取得コンピュータにデータを送信する手段を採用する方法で、データ保有コンピュータの改造を行わず、セキュリティー機能に抵触することもなく、安全にデータの移動を実施する手段で課題を解決する。
【発明の効果】
【００１１】
通常のコンピュータが保有する機能を活用することで、新たな機能の追装を伴わないで、データ保有コンピュータのデータをデータ取得コンピュータに移動させることができる。
データ保有コンピュータ機能への影響はほとんどなく、またデータ保有コンピュータに設けられるネットワーク環境のセキュリティーへの影響も皆無である。
【実施例１】
【００１２】
図１には、データ保有コンピュータ（１）、画像信号・マウス信号・キーボード信号中継機能（７）、回路切替用スイッチボックス（１１）、データ保存用メモリ（１２）、メモリデータ読出し機能および通信装置（１３）、回路切替用スイッチボックスの操作機能（１４）、メモリデータ収集機能（１５）、画面操作機能（１６）より構成される発明を示す。
【００１３】
以下、本発明の作用について説明する。ここでは、データ保有コンピュータ（１）のデータは、一旦データ保存用メモリ（１５）に収集して、その後に、メモリデータ収集機能（１５）に再転送する。したがって、データ保存用メモリ（１２）は最初にデータ保有コンピュータ（１）に接続後、最後はメモリデータ収集機能（１５）に接続する方法を採る。
【００１４】
ここでは回路切替用スイッチボックス（１１）を設け接続先の切替を含む、３つの操作を順に実施する。はじめに、データ保有コンピュータ（１）が有するデータ受け渡し用ポート（２）とデータ保存用メモリ（１２）を、互いに接続するため回路切替用スイッチボックス（１１）を切替える。このために回路切替用スイッチボックスの操作機能（１４）と通信ケーブル（１７）を用いて、回路切替用スイッチボックス（１１）に切替信号を発行する。
【００１５】
2番目は、画面操作機能（１６）を使用して、データ保有コンピュータ（１）のモニター画面を操作して、データファイル（２）のデータを、データ受け渡し用ポート（３）からデータ保存用メモリ（１２）に収集する。
【００１６】
ここでは、データ保有コンピュータ（１）が有する標準機能、たとえば、エクスプローラを使用する。第３番目は、メモリデータ収集機能（１５）と、データ保存用メモリ（１２）を、互いに回路切替用スイッチボックスを切替えて接続するため、回路切替用スイッチボックスの操作機能（１４）と通信ケーブル（１７）を用いて、回路切替用スイッチボックス（１１）に切替信号を発行する。ここで、メモリデータ収集機能（１５）が接続されたデータ保存用メモリ（１５）を読取る。
【産業上の利用可能性】
【００１７】
ビルや工場、病院、学校などには、コンピュータが設けられ、建物設備のほか、生産設備などのデータを保有しているが、残念ながら、十分な有効活用が図られているケースを見かけるのが稀な状況とおもわれる。
【００１８】
理由の一つが、これらのコンピュータのデータを取出す方法が整備されていないことが挙げられる。本発明は、コンピュータが保有するデータを、容易に取出す方法であり、データ活用促進に寄与できる。たとえば、ビッグデータの収集にも効果的である。
【図面の簡単な説明】
【００１９】
【図１】構成図
【符号の説明】
【００２０】
１  データ保有コンピュータ
２  データファイル
３  データ受け渡し用ポート
たとえば、USBポートなど
４  マウス信号ケーブル
５  キーボード信号ケーブル
６  画像信号ケーブル
７  画像信号・マウス信号・キーボード信号中継機能
１１  回路切替用スイッチボックス
１２  データ保存用メモリ
１３  メモリデータ読出し機能および通信装置
１４  回路切替用スイッチボックスの操作機能
１５  メモリデータ収集機能
１６  画面操作機能
１７  通信ケーブル
１８  通信ケーブル
１９  通信ケーブル
【図１】
2020201682.tif 000003